(57)【要約】 【課題】  棚柱に対する棚受けの装着状態を強固に保持し得ると共に、取付け、取り外しが簡単容易で、しかもクローゼットなどの狭い収容空間を有効に活用できる許かりでなく、外観体裁に優れた棚装置を提供する。【解決手段】  両辺が湾曲し取付壁面Ｘとの隙間が小さい平板部１１の面内に、左右一対の多角形状の取付孔１４、１４ａを一定間隔を開いて多数縦列配備した棚柱１と、一対の取付孔に挿脱する先端に抜け止め部３４を備えた左右一対の差し込み係止部３３、３３をそれぞれ外方向へ付勢させた棚受け３と、前記多角形状の取付孔１４，１４ａを構成する直線状の内側短辺２１と、直線状の外側長辺２２と、内側短辺２１の下端２１ａと外側長辺２２の下端２２ａとを結ぶ変位阻止斜辺２３とを備える脱落防止手段２とからなることを特徴とする。【選択図】          図１
2014236887.tif 000002
【特許請求の範囲】
【請求項１】
両辺が湾曲し取付け壁面との隙間が小さい平板部の面内に、左右一対の多角形状の取付孔を一定間隔を開いて多数縦列配備した棚柱と、一対の取付孔に挿脱する先端に抜け止め部を備えた左右一対の差し込み係止部をそれぞれ外開き方向へ付勢させた棚受けと、前記多角形状の取付孔を構成する直線状の内側短辺と、直線状の外側長辺と、内側短辺の下端と外側長辺の下端とを結ぶ変位阻止斜辺とを備える脱落防止手段とから成る棚装置。
【請求項２】
前記脱落防止手段は、外側長辺の下端に平底面を延長し、内側短辺の下端と平底面とを結ぶ変位阻止斜辺を備えたものであることを特徴とする請求項１記載の棚装置。
【請求項３】
前記棚柱の平板部の両側辺を内向きに湾曲させた湾曲側面部の湾曲度合いは、平板部の裏面と取付け壁面との間に、棚受けの抜け止め部厚みに略対応した隙間が開くように設定したものであることを特徴とする請求項１記載の棚装置。
【請求項４】
前記棚受けは、先端に差し込み係止部を備える対向壁の上端に外方向へ上昇傾斜する挿込み傾斜部を設け、この挿込み傾斜部が嵌着する傾斜溝を備える平板状カバー体は中央部厚みを大とし外方向へ漸次薄肉状としたものであることを特徴とする請求項１記載の棚装置。
【発明の詳細な説明】
【技術分野】
【０００１】
この発明は、棚装置に関する。
【背景技術】
【０００２】
図８は、従来の棚装置を示す斜視図である。
この棚装置は、棚柱６１と棚受け７１とで構成される。棚柱６１は、扁平な角筒状のハコ体で、正面板６２の面内中央に短冊状のスリット開口６３を設け、その両側に左右一対の係止孔６４、６４を一定間隔を開き多数縦列配備している。
【０００３】
棚受け７１は、対向壁７２、７２の後端を連結部７３で繋ぎ、各対向壁７２の先端の上部に直角に屈曲した鉤状抜け止め板７４と、先端の下方に挿し込み板７５とをそれぞれ前方へ突設している。
【０００４】
前記棚柱６１の細幅状のスリット開口６３には、適所に左右へ拡大した大径の挿し込み口６３ａを開き、上記それぞれ外方向へ屈曲する鉤状抜け止め板７４、７４を容易に挿脱可能に設定している。
【０００５】
この棚装置では、棚柱６１の背板を壁面等にビス固定する。棚受け７１の鉤状抜け止め板７４、７４を大径の挿し込み口６３ａに挿入することで、棚受け７１が幅狭のスリット開口６３に対し昇降動する。任意の位置で、挿し込み板７５を対応する係止孔６４に嵌入させて棚受け７１を棚柱６１に装着し、棚受け（対向壁７２）上に棚板（図示せず）を載せ置く。
【特許文献１】実用新案登録第３１２４７２３号公報
【発明の開示】
【発明が解決しようとする課題】
【０００６】
上記棚装置では、棚板の高さ位置を変更する際に、棚受け（連結部側) を上方へ傾け、挿し込み板を係止穴から外すことで、棚柱に対し棚受けを昇降させ得る利点がある反面、挿し込み板は係止孔に単に嵌入しているだけであるため、上方への力が作用すると挿し込み板が外れ、且つ棚受け自体が傾き上昇して脱落する欠点がある。
【０００７】
また、棚受けの取り付け、取り外しに際し、棚受け自体を傾斜させねばならないため、棚柱内に傾きを許容し得る空間が必要である。このため、箱状の棚柱（の正面板）が取り付け壁面より大きく前方へ出っ張り、クローゼットなどの収容空間を狭くする許かりでなく、外観体裁が悪い不利がある。
【０００８】
この発明は、以上のような課題を解消させ、棚柱に対する棚受けの装着状態を強固に保持し得ると共に、取り付け、取り外しが簡単容易で、しかもクローゼットなどの狭い収容空間を有効活用できる許かりでなく、外観体裁に優れた棚装置を提供することを目的とする。
【課題を解決するための手段】
【０００９】
この目的を達成させるために、この発明の棚装置では、次のような構成としている。
棚装置は、両辺が湾曲し取付け壁面との隙間が小さい平板部の面内に、左右一対の多角形状の取付孔を一定間隔を開いて多数縦列配備した棚柱と、一対の取付孔に挿脱する先端に抜け止め部を備えた左右一対の差し込み係止部をそれぞれ外方向へ付勢させた棚受けと、前記多角形状の取付孔を構成する直線状の内側短辺と、直線状の外側長辺と、内側短辺の下端と外側長辺の下端とを結ぶ変位阻止斜辺とを備える脱落防止手段とから成ることを特徴としている。
【発明の効果】
【００１０】
このような構成を有する棚装置では、棚受けの左右一対の差し込み係止部を拡開方向へ付勢する一方、棚柱には多角形状の取付孔を構成する直線状の内側短辺と、直線状の外側長辺と、内側短辺の下端と外側長辺の下端とを結ぶ変位阻止斜辺とを備える脱落防止手段を配備することとしたから、取付孔に対し、左右一対の差し込み係止部の対向間を縮小させて挿入するだけで、簡単に取付け、取り外しができ装脱作業が容易である。
【００１１】
更に、取付孔内に挿入され拡開復帰した差し込み係止部が、変位阻止斜辺により縮小方向への移動が阻止され、強固に且つ安全に取付状態が保持され、意に反する取付孔からの脱落の虞れが解消される。
【００１２】
また、棚柱は平板部の両辺を湾曲し取付け壁面との隙間を小さくしたから、取付け壁面から前方への出っ張りが小さく、スペースの少ないクローゼットなどの収容空間を大きく有効に利用し得る許かりでなく、出っ張りが少ない分、外観体裁が良好となる。
【００１３】
更に、棚受けの外方向へ上昇傾斜する挿し込み傾斜部にカバー体を取付けることで、カバー体の上面に乗せ置く棚板荷重が、差し込み係止部に拡開方向への押圧力として作用し、一層、差し込み係止部の脱落が強固に防止し得る等、発明目的を達成した優れた効果を有する。
【発明を実施するための最良の形態】
【００１４】
以下、図面に基づき本発明に係る棚装置の具体的な実施の形態を説明する。
図１は、棚装置の分離斜視図である。
棚装置は、棚柱１と、棚柱１に対し着脱する棚受３と、棚柱１の取付孔１４、１４ａ自体に配備される脱落防止手段２とからなる。
【００１５】
棚柱１は、ステンレス材等の板金による成形品で、短冊状の平板部１１と、この平板部１１の両側辺を内向きに湾曲させた湾曲側面部１２とから成る。平板部１１の面内には、適所にビス穴１３と、一定間隔を開いた左右一対の取付け孔１４、１４аを縦列配備している。
【００１６】
棚柱１の湾曲側面部１２の湾曲度合いは、平板部１１の裏面と取付け壁面Ｘとの間に、後述する棚受け３の抜け止め部３５厚みに略対応した隙間が開くように
設定される。  
【００１７】
前記棚受け３は、例えばステンレス板などの金属製で、所定間隔開いた両対向壁３１、３１の後端を繋ぎ部３２を介して連続させ、両対向壁３１、３１の対向間隔を外開き方向に付勢してある。対向壁３１、３１の上端３１ｂは、延長して外方向へ上昇傾斜する挿込み傾斜部３６を設けている。
【００１８】
更に、両対向壁３１、３１の前端３１ａの上部を前方へ延長突設した差し込み係止部３３、３３を設け、この差し込み係止部３３、３３の先端を外方向へ屈曲させた抜け止め部３４、３４を設けている。
また、両対向壁３１、３１の前端３１ａの下部は、延長して内向きに屈曲した突き当て部３５、３５を形成している。この突き当て部３５は、差し込み係止部３３、３３が取付孔１４、１４ａに嵌入した状態で、平板部１１表面に接面する。
【００１９】
棚受け３の上部には、カバー体４が脱着可能に配備される。カバー体４は、ゴム製の矩形平板４１の両側辺裏面側に外方向へ上昇傾斜する傾斜溝部４２を開口している。矩形平板４１は、中央部が肉厚４１ａで、外方向へ漸次薄肉４１ｂに設定している（図６参照）。前記挿込み傾斜部３６がこの傾斜溝部４２にスライド嵌着し、カバー体４上面に棚板（図示せず）が載せ置かれる。
【００２０】
前記脱落防止手段２は、開き方向に付勢してある両対向壁（差し込み係止部３３、３３）３１、３１の対向間隔の縮小方向への変位を阻止する。この脱落防止手段は、上記棚柱１の左右一対の取付孔１４、１４ａ自体に配備されている。つまり、脱落防止手段２は取付け孔１４、１４ａ自体を構成する。
【００２１】
左右一対の取付け孔１４、１４ａは、平板部１１の仮想幅中心Ｙの左右両側に対称状に開口された縦長の多角形状で、直線状の内側短辺２１と、直線状の外側長辺２２と、変位防止斜辺２３とから成る。
【００２２】
上記変位防止斜辺２３は、内側短辺２１の下端２１ａと外側長辺２２の下端２２ａとを結ぶ斜辺（図５参照）に設定される。また、実施の形態を示す図１ないし図４では、外側長辺２２の下端２２ａに連続する平底面２４の内側辺２４ａと内側短辺２１の下端２１ａとを結ぶ斜辺として設定される。
【００２３】
尚、取り付け孔１４、１４ａの下側のみならず上側にも同様の変位防止斜辺２３が設けられているのは、棚柱１の天地両使用を図ったもので、本来、上側の変位防止斜辺２３は不要である。
【００２４】
このような構成を有する棚装置では、図２で示すように、棚柱１を取付け壁面Ｘにビス固定する。左右の湾曲側面部１２の先端１２ａが壁面Ｘに接面し、壁面Ｘと平板部１１裏面との開き間隔（隙間）１２ｂは、抜け止め部３４の略厚み分に対応する。したがって、棚柱１の出っ張りが少なく、且つ隙間に位置する抜け止め部３４は、平板部１１と取付け壁面Ｘとに接面して挟み持ちされ、一層強固な抜け止めが図られる。
【００２５】
また、図６で示すように、カバー体４に係る荷重Ｗは、カバー体４の上面に乗せ置く棚板荷重Ｗの分力Ｗ１が、対向壁（差し込み係止部３３、３３）３１、３１に拡開方向への押圧力Ｖとして作用し、一層、差し込み係止部３３の脱落防止が補強される。
【００２６】
図２で示すように、対向壁（差し込み係止部３３、３３）３１、３１を内方向へ押圧し、バネ付勢された差し込み係止部３３、３３間隔を縮小させる。この状態で、差し込み係止部（抜け止め部３４、３４）３３，３３を対応する取付孔１４、１４ａに挿入する。この状態において、図７（ａ）の説明図で示すように、差し込み係止部３３、３３は内側短辺２１に接面している。
【００２７】
図３に示すように、対向壁（差し込み係止部３３、３３）３１、３１への押圧を開放すると、差し込み係止部３３、３３が拡開方向へ現状復帰し、抜け止め部３４、３４が平板部１１面内の取付孔１４（１４ａ）の外側に接面する。この状態において、図７（ｂ）の説明図で示すように、差し込み係止部３３、３３は外側長辺２２に接面している。
【００２８】
ここで、図４で示すように棚受け（差し込み係止部３３、３３）３を押し下げると、図７（Ｃ）の説明図で示すように、差し込み係止部３３、３３の下端３３ａが平底面２４に嵌り込み状に定位する。変位阻止斜辺２３は平底面２４から傾斜角度の大きい上り勾配であり、摩擦抵抗が大きく差し込み係止部３３、３３の開き間隔の縮小状態への変位、つまり図７（ａ）への変位を阻止する。
【００２９】
図７（ｄ）は、図５に示す脱落防止手段２の作用を示す。つまり、変位防止斜辺２３は内側短辺２１の下端２１ａと外側長辺２２の下端２２ａとを結ぶ斜辺に設定している。この実施の形態では平底面２４がないため、差し込み係止部３３、３３の下端３３ａが変位防止斜辺２３の下部２３ａに乗り上げ状態で定位している。したがって、差し込み係止部３３、３３の下端３３ａの内側に集中的に点荷重が作用し一層摩擦抵抗が大きくなり、差し込み係止部３３、３３の開き間隔の縮小状態への変位が強力に阻止される。
【図面の簡単な説明】
【００３０】
【図１】実施の形態の棚装置を示す分離斜視図である。
【図２】棚柱に棚受けを取り付ける状態を示す斜視図である。
【図３】差し込み係止部が取付孔に嵌入した状態を示す斜視図である。
【図４】差し込み係止部が脱落防止手段により変位が阻止された状態を示す斜視図である。
【図５】平底面を省略した脱落防止手段を示す棚柱の斜視図である。
【図６】棚受けとカバー体との嵌着状態を示す説明図である。
【図７】（ａ）は、図２の差し込み係止部と取付孔との位置関係を示す説明図。（ｂ）は、図３の差し込み係止部と取付孔との位置関係を示す説明図。（ｃ）は、図４の差し込み係止部が脱落防止手段により縮小変位が阻止された状態を示す説明図。（ｄ）は、図５の脱落防止手段による差し込み係止部の縮小変位が阻止された状態を示す説明図である。
【図８】従来の棚装置を示す斜視図である。
【符号の説明】
【００３１】
１      棚柱
２      脱落防止手段
３      棚受け
４      カバー体
５      支持手段
１１    平板部
１２    湾曲側面部
１４（１４ａ）左右一対の取付孔
２１    内側短辺
２２    外側長辺
２３    変位阻止斜辺
２４    平底面  
３１    対向壁  
３３    差し込み係止部
３４    抜け止め部
３６    挿込み傾斜部
４２    傾斜溝部
【図１】
2014236887.tif 000003
【図２】
2014236887.tif 000004
【図３】
2014236887.tif 000005
【図４】
2014236887.tif 000006
【図５】
2014236887.tif 000007
【図６】
2014236887.tif 000008
【図７】
2014236887.tif 000009
【図８】
2014236887.tif 000010